(57)【特許請求の範囲】
【請求項１】
観客席の下方に設けられて旋回中心をなす枢軸と、この枢軸と上記観客席とを連結する連結部材と、上記観客席側に取り付けられて上記枢軸近傍に配置され、前記観客席が前記枢軸を中心に旋回するときに該枢軸を中心に走行する回転走行台車と、上記観客席側に横向きに回転自在に取り付けられて上記回転走行台車近傍に配置され、前記観客席が前記枢軸を中心に旋回するときに、前記枢軸に作用する側圧を支持すべく、上記枢軸を中心に形成された弧状縦壁面に沿って転動される案内車輪と、前記枢軸から離隔させて上記観客席の下面に設けられ、この観客席の荷重を支持しつつ移動される移動台車とを備え、前記観客席を前記枢軸周りに旋回可能としたことを特徴とする多目的競技場の移動観客席。
【請求項２】
競技グラウンドを取り囲むスタンドを区分して、請求項１に記載した前記観客席を少なくとも一対備え、これら観客席を競技の種類に応じて旋回させて、一対の該観客席の前端縁を競技グラウンドに対して平行に配置することにより矩形状のグラウンド形状を形成させ、かつ、一対の該観客席の前端縁を競技グラウンドに対して傾斜させて配置することにより扇形状のグラウンド形状を形成させることを特徴とする多目的競技場の移動観客席。
【発明の詳細な説明】
【０００１】
【発明の属する技術分野】
本発明は、複数種類の競技に対応した多目的競技場の移動観客席に関する。
【０００２】
【従来の技術】
従来、実開平３−１０５５４６号公報（Int.Cl.E04H 3/12）に開示されるように、競技グラウンドを取り囲むように競技場の外周縁部に設けられた環状の固定観客席の内周に三日月状の移動観客席を対向配置し、これら一対の移動観客席を前記固定観客席内周に沿って移動することにより、野球やサッカー等の異なった複数種類のグラウンド形状に対応できるようになったものがある。
【０００３】
このように、観客席を移動可能とすることにより、多目的競技場としての機能を十分に活用できるのであるが、この場合、前記移動観客席は環状の固定観客席の内周に沿って全体的に移動する構造となっているが、一点を中心として移動観客席を旋回させることによっても異なったグラウンド形状に対応させ得ると考えられる。
【０００４】
【発明が解決しようとする課題】
しかしながら、かかる従来の多目的競技場の移動観客席にあっては、この移動観客席が大荷重であるため、この大荷重を支持しつつ旋回させるためには、旋回中心部分を著しく剛強にする必要がある。このため、従来から旋回タイプの移動観客席が望まれていたのであるが、未だ達成できないのが現状であるという課題があった。
【０００５】
そこで、本発明はかかる従来の課題に鑑みて、旋回中心部分を合理的な構成で強固に支持できるようにすることにより、一点を中心にして旋回させることができるようにした多目的競技場の移動観客席を提供することを目的とする。
【０００６】
【課題を解決するための手段】
かかる目的を達成するために請求項１の発明では、観客席の下方に設けられて旋回中心をなす枢軸と、この枢軸と上記観客席とを連結する連結部材と、上記観客席側に取り付けられて上記枢軸近傍に配置され、前記観客席が前記枢軸を中心に旋回するときに該枢軸を中心に走行する回転走行台車と、上記観客席側に横向きに回転自在に取り付けられて上記回転走行台車近傍に配置され、前記観客席が前記枢軸を中心に旋回するときに、前記枢軸に作用する側圧を支持すべく、上記枢軸を中心に形成された弧状縦壁面に沿って転動される案内車輪と、前記枢軸から離隔させて上記観客席の下面に設けられ、この観客席の荷重を支持しつつ移動される移動台車とを備え、前記観客席を前記枢軸周りに旋回可能とする構成とする。
【０００７】
また、請求項２の発明では、競技グラウンドを取り囲むスタンドを区分して、請求項１に記載した前記観客席を少なくとも一対備え、これら観客席を競技の種類に応じて旋回させて、一対の該観客席の前端縁を競技グラウンドに対して平行に配置することにより矩形状のグラウンド形状を形成させ、かつ、一対の該観客席の前端縁を競技グラウンドに対して傾斜させて配置することにより扇形状のグラウンド形状を形成させることが望ましい。
【０００８】
以上の構成により請求項１の発明では、観客席は枢軸を中心として下面に設けた移動台車に支持されて旋回されるが、このとき旋回中心となる枢軸近傍には、回転走行台車および案内車輪が設けられるようになっており、前者の回転走行台車は枢軸近傍において観客席の荷重を支持しつつ枢軸を中心に円滑に走行する一方、後者の案内車輪は回転走行台車の走行に従って枢軸を中心に形成された弧状縦壁面に沿って転動しつつ、前記枢軸に作用する側圧を支持するようになっている。従って、前記枢軸周りに作用する観客席の荷重や旋回移動に伴って発生する側圧がこれら回転走行台車および案内車輪によって分担して支持されるため、この枢軸を極端に大径化する必要なく当該枢軸周りの強度を十分に確保することができ、観客席を比較的簡単かつコンパクトな構造で旋回自在に支持することができる。
【０００９】
また、請求項２の発明にあっては、競技グラウンドを取り囲むスタンドを区分して上記旋回可能とした観客席を少なくとも一対備えるようにし、これら観客席の前端縁を競技グラウンドに対して平行に配置することにより矩形状のグラウンド形状に対応させ、かつ、これら観客席の前端縁を競技グラウンドに対して傾斜させて配置することにより扇形状のグラウンド形状に対応させることができるため、観客席を単に旋回させるという簡単な動作で複数の競技に応じた最適な観客席の配置構造を得ることができる。
【００１０】
【発明の実施の形態】
以下、本発明の実施形態を添付図面を参照して詳細に説明する。図１から図１１は本発明にかかる多目的競技場の移動観客席の一実施形態を示し、図１は多目的競技場の全体斜視図、図２は図１中Ａ−Ａ線からの拡大断面図、図３は観客席の枢軸周りの拡大断面図、図４は枢軸周りの平面図、図５は枢軸周りに取付けられる回転走行台車の側面図、図６は回転走行台車の平面図、図７は観客席の下面に設けられる移動台車の正面図、図８は移動台車の側面図、図９は多目的競技場の全体平面図、図１０は観客席を旋回した状態の多目的競技場の全体平面図、図１１は観客席を旋回した状態の多目的競技場の全体斜視図である。
【００１１】
本実施形態は基本的には、観客席１８の下方に設けられて旋回中心Ｐをなす枢軸２２と、この枢軸２２と観客席１８とを連結する連結部材３２と、観客席１８側に取り付けられて枢軸２２近傍に配置され、枢軸２２周りに走行される回転走行台車３４と、観客席１８側に取り付けられて回転走行台車３４近傍に配置され、枢軸２２周りに形成した弧状縦壁面２６ａに沿って転動される案内車輪４８と、枢軸２２から離隔させて観客席１８の下面に設けられ、この観客席１８の荷重を支持しつつ移動される移動台車２４とを備え、観客席１８を枢軸２２周りに旋回可能として構成される。
【００１２】
そしてまた、競技グラウンド１２を取り囲むスタンド１４を区分して前記観客席１８を少なくとも一対備え、これら観客席１８を競技の種類に応じて旋回させて、一対の観客席１８の前端縁を競技グラウンド１２に対して平行に配置することにより矩形状のグラウンド形状を形成させ、かつ、一対の観客席１８の前端縁を競技グラウンド１２に対して傾斜させて配置することにより扇形状のグラウンド形状を形成させるようになっている。
【００１３】
即ち、本実施形態の旋回可能な観客席が適用される多目的競技場１０は、図１に示すように競技グラウンド１２を取り囲むように競技場１０の外周縁部に配置される環状のスタンド１４を周方向に４分割し、これら分割されたスタンド１４のうち同図中向う側を固定観客席１６とし、左右に対向される一対を旋回可能な観客席１８，１８とし、かつ、手前側を昇降移動される上下動観客席２０としてある。
【００１４】
ここで、本実施形態では上記旋回可能な観客席１８，１８が本発明にかかる観客席であり、以下この観客席１８，１８について詳細に説明する。上記一対の観客席１８，１８は互いに対称となっており、本実施形態では図１中左方の観客席１８について以下述べるものとする。
【００１５】
上記観客席１８は図１に示したように前端縁１８ａの中央部を中心として旋回可能となっており、観客席１８の下面には図２に示すように前記旋回中心Ｐに枢軸２２が設けられると共に、観客席１８の後端縁１８ｂに移動台車２４，２４が設けられる。前記枢軸２２は図３，図４に示すように、床面に固定される円形状コンクリート基盤２６の中心部から突設される台座２８の上面から突出されている。前記枢軸２２は前記台座２８に固定することなく、図外のベアリング等の低摩擦部材を介して回転自在に取付けることにより、より円滑な観客席１８の旋回を可能にする。
【００１６】
前記枢軸２２には、軸受３０を介して扇形状の連結部材３２が回転可能に取付けられ、この連結部材３２の外周縁部に回転走行台車３４，３４…が設けられる。回転走行台車３４は、逆Ｕ字状に折曲した本体ブラケット３４ａの前後部に一対の車輪３４ｂ，３４ｂの車軸が回転自在に支持されることにより構成され、前記本体ブラケット３４ａはその中央部分が取付ブラケット３６にピン結合される。
【００１７】
そして、前記取付ブラケット３６は連結ピン３８を介して水平面内で旋回自在に取付プレート４０に取付けられ、この取付プレート４０は前記連結部材３２にボルト止めされる。前記本体ブラケット３４ａは図６に示すように、それぞれの車輪３４ｂ，３４ｂの取付部分が前記枢軸２２の径方向に沿うようにくの字状に折曲され、車輪３４ｂ，３４ｂを枢軸２２を中心とする円周方向に配置させる。また、前記車輪３４ｂ，３４ｂは前記コンクリート基盤２６の上面に設けられた、枢軸２２を中心とするレール４２上を転動するようになっている。
【００１８】
前記コンクリート基盤２６の外周縁部には、枢軸２２を中心とする環状の縦壁面２６ａが形成され、この縦壁面２６ａの内周に円弧状レール４４が取付けられている。また、前記回転走行台車３４の本体ブラケット３４ａの外側面中央部に、コ字状ブラケット４６を介して案内車輪４８が横向きに回転自在に取付けられ、この案内車輪４８は前記円弧状レール４４上を転動するようになっている。前記円弧状レール４４は観客席１８の旋回範囲に対応した長さを備えた弧状に形成すれば足りるが、本実施形態では前記コンクリート基盤２６が円形状に形成される関係上、円弧状レール４４も環状に形成してある。また、前記円弧状レール４４は前記縦壁面２６ａへの取付け部との間にシム４７を介在させる等して、この円弧状レール４４の真円度を正確に出せるようにしている。
【００１９】
一方、前記移動台車２４は図７に示すように径方向に２組が設けられ、それぞれの車輪５０は取付ブラケット５２を介して移動台車２４の下面に回転可能に取付けられる。前記移動台車２４，２４は、周方向には複数個が設けられ、観客席１８の荷重を十分に支持しつつ走行できるようになっている。前記移動台車２４，２４は、前記枢軸２２を中心として同心円状に配置される円弧状の２条のレール５４，５４を、それぞれの車輪５０，５０が転動するようになっている。前記移動台車２４は図８に示すように、車輪５０を３個用いて各車輪５０の荷重分担を軽減させることが望ましい。また、移動台車２４は径方向に２組設けたが、１組または３組以上設けても良いことはいうまでもない。
【００２０】
ところで、前記観客席１８は図３，図５に示すようにラチス梁を用いたフレーム５６によって、図２に示すように前端縁１８ａから後端縁１８ｂに向かって徐々に上方に傾斜する枠組み構成で形成され、このフレーム５６の傾斜した上面に図外の座席が複数段に配置される。
【００２１】
かかる構成になる多目的競技場１０の観客席１８は図１に示したように左右対称に配置され、競技の種類に応じて枢軸２２周りに旋回されるようになっている。図９はサッカーとかラグビー等の矩形状のグラウンド形状Ｘに観客席１８を対応させた場合を示し、この観客席１８の前端縁１８ａを競技グラウンド１２に対して平行に配置するようになっている。また、図１０は野球等の扇形状のグラウンド形状Ｙに対応させた場合を示し、観客席１８の前端縁１８ａを競技グラウンド１２に対して傾斜させて配置するようになっている。
【００２２】
ところで、前記多目的競技場１０は観客席１８をグラウンド形状に応じて旋回させる際、上下動観客席２０も同時に上下移動させるようになっている。前記上下動観客席２０は、図１０，図１１に示すように上段席２０ａと下段席２０ｂとを備え、上段席２０ａを同図に示すように上昇させた状態で下段席２０ｂを上段席２０ａの下方に出し入れができるようになっている。そして、図１０，図１１に示した野球観戦では、上段席２０ａを上昇した状態で下段席２０ｂを引き出すようになっている。一方、図１，図９に示したサッカー観戦では下段席２０ｂを上段席２０ａ下側若しくは地下に格納し、その後この上段席２０ａを下降するようになっている。
【００２３】
以上の構成により本実施形態の多目的競技場１０の観客席１８，１８は、枢軸２２を中心に旋回することにより各種競技のグラウンド形状Ｘ，Ｙに対応できるようになっており、それぞれに最適な観客席の配置構造を設定することができる。
【００２４】
前記観客席１８，１８は枢軸２２を中心Ｐとして下面に設けた移動台車２４，２４に支持されて旋回されるが、このとき旋回中心Ｐとなる前記枢軸２２近傍には、この枢軸２２に対して連結部材３２を介して取り付けられた回転走行台車３４と、この回転走行台車３４の本体ブラケット３４ａに取り付けられた案内車輪４８とが設けられている。そして、回転走行台車３４は枢軸２２近傍において観客席１８，１８の荷重を支持しつつ枢軸２２周りを円滑に走行する一方、案内車輪４８は回転走行台車３４の走行に従って枢軸２２周りの縦壁面２６ａに沿って転動しつつ、枢軸２２に作用する側圧を支持することができるので、枢軸２２周りに作用する観客席１８，１８の荷重や旋回移動に伴って発生する側圧をこれら回転走行台車３４および案内車輪４８によって分担して支持させることができ、この枢軸２２を極端に大径化する必要なく当該枢軸２２周りの強度を十分に確保することができて、観客席１８，１８を比較的簡単かつコンパクトな構造で旋回自在に支持することができる。従って、観客席１８，１８の旋回動作を可能とした多目的競技場１０を提供することが可能となる。
【００２５】
図１２，図１３は他の実施形態を示し、前記実施形態と同一構成部分に同一符号を付して重複する説明を省略して述べる。図１２は図９に対応する多目的競技場１０の全体平面図、図１３は図１０に対応する多目的競技場１０の全体平面図である。
【００２６】
即ち、この実施形態にあっても競技グラウンド１２を取り囲む環状のスタンド１４を４分割し、図中上方側をその中央部分から２つ折れになる折曲移動観客席６０とし、左右に対向される一対を旋回可能な半円形状の観客席１８，１８とし、かつ、下方側を昇降移動される上下動観客席２０としてある。
【００２７】
前記観客席１８，１８は前記実施形態と同様の構成をもって前端縁１８ａの中央部のＰ点を中心に旋回可能となっており、図１２はサッカーとかラグビー等の矩形状のグラウンド形状Ｘに観客席１８を対応させた場合を示し、図１３は野球等の扇形状のグラウンド形状Ｙに対応させた場合を示す。
【００２８】
観客席１８を図１２の矩形状のグラウンド形状Ｘに対応させる場合は、前記実施形態と同様に観客席１８の前端縁１８ａを競技グラウンド１２に対して平行に配置するようになっており、このとき、折曲移動観客席６０は折れ曲らないようにし、かつ、上下動観客席２０は、下段席２０ｂを格納し上段席２０ａを下降している。一方、観客席１８を図１３の扇形状のグラウンド形状Ｙに対応させる場合は、観客席１８の前端縁１８ａを競技グラウンド１２に対して傾斜させると共に、折曲移動観客席６０を中央部からくの字状に折り曲げ、かつ、上下動観客席２０は下段席２０ｂを引き出した状態で上段席２０ａを上昇させている。
【００２９】
前記各実施形態では観客席１８が前端縁１８ａの中央部Ｐを中心に旋回される場合を開示したが、これに限ることなくスタンド１４の分割形状に応じて観客席１８の任意部位を中心として旋回させることができる。
【００３０】
【発明の効果】
以上説明したように請求項１に示す本発明の多目的競技場の移動観客席にあっては、旋回中心となる枢軸近傍に、前記観客席が前記枢軸を中心に旋回するときに該枢軸を中心に走行する回転走行台車と、上記観客席側に横向きに回転自在に取り付けられ、前記観客席が前記枢軸を中心に旋回するときに、上記枢軸を中心に形成した弧状縦壁面に沿って転動される案内車輪とを設けて構成したので、枢軸周りに作用する観客席の荷重や旋回移動に伴って発生する側圧をこれら回転走行台車および案内車輪によって分担して支持させることができ、この枢軸を極端に大径化する必要なく当該枢軸周りの強度を十分に確保することができて、観客席を比較的簡単かつコンパクトな構造で旋回自在に支持することができる。
【００３１】
また、請求項２に示す本発明の多目的競技場の移動観客席にあっては、競技グラウンドを取り囲むスタンドを区分して、請求項１に記載した観客席を少なくとも一対備え、これら観客席を競技の種類に応じて旋回させて、一対の観客席の前端縁を競技グラウンドに対して平行に配置することにより矩形状のグラウンド形状を形成させ、かつ、一対の観客席の前端縁を競技グラウンドに対して傾斜させて配置することにより扇形状のグラウンド形状を形成させるようにしたので、観客席を単に旋回させるという簡単な動作で複数の競技に応じた最適な観客席の配置構造を得ることができるという各種優れた効果を奏する。
【図面の簡単な説明】
【図１】本発明が適用された多目的競技場の一実施形態を示す全体斜視図である。
【図２】図１中Ａ−Ａ線からの拡大断面図である。
【図３】本発明の一実施形態を示す観客席の枢軸周りの拡大断面図である。
【図４】本発明の一実施形態を示す枢軸周りの平面図である。
【図５】本発明の一実施形態を示す枢軸周りに取付けられる回転走行台車の側面図である。
【図６】本発明の一実施形態を示す回転走行台車の平面図である。
【図７】本発明の一実施形態を示す観客席の下面に設けられる移動台車の正面図である。
【図８】本発明の一実施形態を示す移動台車の側面図である。
【図９】本発明の一実施形態を示す多目的競技場の全体平面図である。
【図１０】本発明の一実施形態を示す観客席を旋回した状態の多目的競技場の全体平面図である。
【図１１】本発明の一実施形態を示す観客席を旋回した状態の多目的競技場の全体斜視図である。
【図１２】本発明の他の実施形態を示す図９に対応した多目的競技場の全体平面図である。
【図１３】本発明の他の実施形態を示す図１０に対応した多目的競技場の全体平面図である。
【符号の説明】
１０  多目的競技場
１２  競技グラウンド
１４  スタンド
１８  観客席
２２  枢軸
２４  移動台車
３２  連結部材
３４  回転走行台車
４４  円弧状レール
４８  案内車輪
Ｘ  矩形状のグラウンド形状
Ｙ  扇形状のグラウンド形状
【図１】
0003758239.tif 000002
【図２】
0003758239.tif 000003
【図３】
0003758239.tif 000004
【図４】
0003758239.tif 000005
【図５】
0003758239.tif 000006
【図６】
0003758239.tif 000007
【図７】
0003758239.tif 000008
【図８】
0003758239.tif 000009
【図９】
0003758239.tif 000010
【図１０】
0003758239.tif 000011
【図１１】
0003758239.tif 000012
【図１２】
0003758239.tif 000013
【図１３】
0003758239.tif 000014